(57)【要約】【課題】録画終了処理時間を従来の固定時間から、記録媒体の性能に応じた最適な時間に設定することで、後の番組の録画開始を確実に保証し、かつ、１つ目の番組の最後の方の録画されない時間帯を従来よりも短くすることができ、最小のロスタイムで２つ目の番組の録画に移行する。【解決手段】システムコントローラ１０は、連続した時間の番組の録画予約が設定されている場合には、装填されているディスク１への１つ目の番組の録画中に当該ディスク１への書き込みエラーレートを取得し、その書き込みエラーレートから録画終了時の録画終了処理時間を求める。そして、２つ目の番組の録画開始時刻より前記求めた録画終了処理時間だけ前に１つ目の録画動作を停止して、録画終了処理を実行する。【選択図】図１
2007213746.tif 000002
【特許請求の範囲】
【請求項１】
予約録画動作を制御する制御手段を有する情報記録装置において、
書き込みエラーレートを複数に区分するとともに、録画中の書き込み速度に対応した録画終了処理時の複数の情報書き込み速度と、その情報書き込み速度に対応した録画終了処理時間と、前記情報書き込み速度に応じた余裕時間とを、前記レート区分ごとに対応させて格納した録画終了処理時間テーブルを備えており、
前記制御手段は、連続した時間の番組の録画予約が設定されている場合には、装填されている記録媒体への１つ目の番組の録画中に当該記録媒体への書き込みエラーレートを取得し、前記録画終了処理時間テーブルを参照して、取得した書き込みエラーレートが含まれるレート区分の中から、録画中の書き込み速度に対応した複数の情報書き込み速度を取得し、その複数の情報書き込み速度の中から最適な情報書き込み速度を選択することで、その選択した情報書き込み速度に対応した録画終了処理時間と余裕時間とを求め、求めた書き録画終了処理時間に余裕時間を加算した時間をその記録媒体の実際の録画終了処理時間とし、２つ目の番組の録画開始時刻より前記実際の録画終了処理時間だけ前に１つ目の録画動作を停止して、録画終了処理を実行することを特徴とする情報記録装置。
【請求項２】
予約録画動作を制御する制御手段を有する情報記録装置において、
前記制御手段は、連続した時間の番組の録画予約が設定されている場合には、装填されている記録媒体への１つ目の番組の録画中に算出手段によりその記録媒体の録画終了処理時間を求め、２つ目の番組の録画開始時刻より前記求めた録画終了処理時間だけ前に１つ目の録画動作を停止して、録画終了処理を実行することを特徴とする情報記録装置。
【請求項３】
前記算出手段は、装填されている記録媒体の録画中に当該記録媒体への書き込みエラーレートを取得し、その書き込みエラーレートから録画終了時の録画終了処理時間を求めることを特徴とする請求項２に記載の情報記録装置。
【請求項４】
前記録画終了処理時間には、一定の余裕時間が含まれていることを特徴とする請求項３に記載の情報記録装置。
【請求項５】
前記余裕時間は、装填されている記録媒体の製造メーカに応じて調整可能に設けられていることを特徴とする請求項４に記載の情報記録装置。
【請求項６】
前記書き込みエラーレートを複数に区分するとともに、レート区分ごとに前記録画終了処理時間を対応付けて格納した録画終了処理時間テーブルを備えており、
前記算出手段は、取得した書き込みエラーレートに基づいて前記録画終了処理時間テーブルを参照することにより、録画終了処理時間を求めることを特徴とする請求項４または請求項５に記載の情報記録装置。
【請求項７】
前記録画終了処理時間テーブルは、録画中の書き込み速度に対応した録画終了処理時の複数の情報書き込み速度と、その情報書き込み速度に対応した録画終了処理時間とを、前記レート区分ごとに対応させて格納しており、
前記算出手段は、番組録画中に取得した書き込みエラーレートが含まれるレート区分の中から、録画中の書き込み速度に対応した複数の情報書き込み速度を取得し、その複数の情報書き込み速度の中から最適な情報書き込み速度を選択することで、その選択した情報書き込み速度に対応した録画終了処理時間を求めることを特徴とする請求項６に記載の情報処理装置。
【請求項８】
前記録画終了処理時間テーブルには、前記情報書き込み速度に応じた余裕時間がさらに対応付けられていることを特徴とする請求項７に記載の情報処理装置。
【発明の詳細な説明】
【技術分野】
【０００１】
本発明は、予約録画動作を制御する制御手段を備えた情報記録装置に関する。
【背景技術】
【０００２】
録画予約機能を備えた従来の情報記録装置は、連続した放送時間の２番組の予約録画を行う場合（すなわち、１つ目の番組Ａの録画終了時刻と２つ目の番組Ｂの録画開始時刻とが時間的に連続する予約録画を行う場合）、１つ目の番組の録画終了時刻より一定時間前に録画を終了することで、２つ目の予約の録画終了処理を２つ目の予約の録画開始時刻前までに終了するような制御方式が採用されている（例えば、特許文献１参照）。
【０００３】
ここで、一定時間は、例えばどのような粗悪なディスク（記録媒体）であっても録画終了処理の書き込みが終了するであろうと思われる最大時間に設定された固定時間となっている。
【０００４】
また、連続した放送時間の２番組の録画予約が設定されている場合に、その２つの録画予約を１つ目の録画予約１の開始から引き続く２つ目の録画予約２の終了までを１つの録画として取り扱うものも提案されている（例えば、特許文献２参照）。具体的には、録画予約１を実際の録画停止時刻の１５秒前に停止し、次の録画予約２が開始されるまでの１５秒間にチャンネルを切り換えるとともに画質及び音質を設定し、１５秒後に録画予約２の録画を開始する方法（以下、方法１という）、または、録画予約１の録画条件と録画予約２の録画条件とが同じであり、かつ同じチャンネルである場合には、録画予約１の終了時刻を録画予約２の終了時刻に延長し、録画予約１の録画条件と録画予約２の録画条件とが同じであり、かつチャンネルが異なる場合には、録画予約１の終了時刻を録画予約２の終了時刻に延長するとともに、一時停止状態（ポーズ状態）としてチャンネルを切り換え、切り換え後にポーズ状態を解除して録画を継続する方法（以下、方法２という）、が提案されている。
【０００５】
また、記録媒体へデータを書き込む際に、書き込みが終了するまでの時間をテスト書き込みによって予測するものも提案されている（例えば、特許文献３参照）。
【特許文献１】特開２００４−２００９２５号公報
【特許文献２】特開２００４−３６３６４７号公報
【特許文献２】特開２００３−１８７５２２号公報
【発明の開示】
【発明が解決しようとする課題】
【０００６】
上記特許文献１では、一定時間が固定となっている。つまり、どのような粗悪なディスクであっても録画終了処理の書き込みが終了するであろうと思われる最大時間に設定されている。そのため、品質の良いディスクでは、この設定されている一定時間よりかなり前に録画終了処理である制御情報の書き込み処理を終了するため、後の録画予約の開始までに無駄な待ち時間が発生してしまうといった問題があった。さらに、最大時間に設定されているため、前の番組の録画において、最後の方が録画できない時間が長くなるといった問題もあった。
【０００７】
また、上記特許文献２では、連続録画を行うことから、上記特許文献１の問題はある程度解決されている。しかし、連続録画を行うため、その後、前に録画した番組と後に録画した番組とを個別に視聴できるようにするために前の録画番組と後の録画番組とを区別する処理が必要となり、この処理は従来行っている通常の処理とは処理手順が異なることから、煩雑な処理となっていた。また、上記特許文献２の連続処理は、上記方法２で説明したように、録画条件が同じであり、かつ同じチャンネルである場合には有効であるが、録画条件が異なり、かつチャンネルも異なる場合には、ポーズ状態にしてチャンネルを切り換え、その後ポーズ状態を解除するといった煩雑な処理が必要になるといった問題があった。さらに、このような処理を行ったとしても、音質や画質の多少の低下を容認する必要があるため、ユーザにとって必ずしも好ましい処理方法ではなかった。さらに、上記特許文献３の処理では、装填した記録媒体に予めテスト書き込みを実施する必要があるため、その分無駄な時間が発生する。また、記録媒体へのテスト書き込み回数には制限があるため何度も行えないといった問題があった。
【０００８】
本発明はかかる問題点を解決すべく創案されたもので、その目的は、録画終了処理時間を従来の固定時間から、記録媒体の性能に応じた最適な時間に設定することで、後の番組の録画開始を確実に保証するとともに、前の番組の最後の方の録画されない時間帯を従来よりも短くすることができ、最小のロスタイムで次の番組の録画に移行することのできる情報記録装置を提供することにある。
【課題を解決するための手段】
【０００９】
上記課題を解決するため、本発明の情報記録装置は、予約録画動作を制御する制御手段を有する情報記録装置において、前記制御手段は、連続した時間の番組の録画予約が設定されている場合には、装填されている記録媒体への１つ目の番組の録画中に算出手段によりその記録媒体の録画終了処理時間を算出し、２つ目の番組の録画開始時刻より前記算出した録画終了処理時間だけ前に１つ目の録画動作を停止して、録画終了処理を実行することを特徴とする。
【００１０】
算出手段による録画終了処理時間の算出は、装填されている記録媒体の録画中に当該記録媒体への書き込みエラーレートを取得し、その書き込みエラーレートから録画終了時の録画終了処理時間を求めるものである。この場合、前記録画終了処理時間には、一定の余裕時間が含まれていてもよい。
【００１１】
このように、録画動作中に記録媒体への書き込みエラーレートを取得し、その書き込みエラーレートから録画終了時の録画終了処理時間を求めることで、その記録媒体に適した録画終了処理時間を求めることができるため、１つ目の録画終了から２つ目の録画開始までの時間を必要最小限に抑えることができる。つまり、連続した時間の２番組の予約録画を行うときには、どうしても１つ目の番組の最後の方の一部が録画されなくなってしまうが、本発明によれば、この録画されなくなってしまう時間を最小限に抑えることができる。
【００１２】
また、前記余裕時間は、装填されている記録媒体の製造メーカに応じて調整可能に設けてもよい。記録媒体の特性及び品質は、製造メーカによって異なる。そのため、録画終了処理時間も製造メーカごとに特性があり異なっている。本発明では、この点を考慮し、製造メーカごとに記録媒体の特性を考慮した余裕時間を設定しておくことで、記録媒体ごとに最適な録画終了処理時間を設定することが可能となる。
【００１３】
また、本発明では、前記書き込みエラーレートを複数に区分するとともに、レート区分ごとに前記録画終了処理時間を対応付けて格納した録画終了処理時間テーブルを備えており、前記算出手段は、取得した書き込みエラーレートに基づいて前記録画終了処理時間テーブルを参照することにより、録画終了処理時間を求めるように構成してもよい。
【００１４】
このように、録画終了処理時間テーブルを備えていることで、複雑な演算処理をすることなく、簡単な処理にて最適な録画終了処理時間を設定することが可能となる。
【００１５】
また、前記録画終了処理時間テーブルは、録画中の書き込み速度に対応した録画終了処理時の複数の情報書き込み速度と、その情報書き込み速度に対応した録画終了処理時間とを、前記レート区分ごとに対応させて格納しており、前記算出手段は、番組録画中に取得した書き込みエラーレートが含まれるレート区分の中から、録画中の書き込み速度に対応した複数の情報書き込み速度を取得し、その複数の情報書き込み速度の中から最適な情報書き込み速度を選択することで、その選択した情報書き込み速度に対応した録画終了処理時間を求めるように構成してもよい。
【００１６】
すなわち、番組情報の書き込み速度と、録画終了時の制御情報の書き込み速度とは必ずしも１対１対応である必要はなく、制御情報の書き込み速度は、番組情報の書き込み速度より速くても十分に書き込み可能である。従って、本発明では、録画中の番組の書き込み速度に対応した録画終了処理時の複数の情報書き込み速度を用意する。例えば、録画中の番組の書き込み速度が２倍速であった場合には、これに対応する情報書き込み速度として３２倍速、４８倍速、６４倍速の３種類用意し、制御手段は、その中から最適な書き込み速度を選択する。このときの選択は、２倍速での番組の書き込みエラーレートにもよるが、通常は最も速い６４倍速を選択して録画終了時の制御情報の書き込み速度に決定する。そして、この書き込み速度に対応した録画終了処理時間を録画終了処理時間テーブルから抽出すればよい。なお、この録画終了処理時間には、一定の余裕時間が含まれていてもよい。これにより、録画終了処理時間をさらに短縮できるので、１つ目の録画動作を録画終了時刻のぎりぎりまで続行することができ、録画されない時間帯を大幅に短縮することが可能となる。
【００１７】
また、前記録画終了処理時間テーブルに、前記情報書き込み速度に応じた余裕時間をさらに対応付けておけば、余裕時間も最適な時間にその都度変更できるため、１つ目の番組の録画されなくなってしまう時間をさらに抑えることができる。
【発明の効果】
【００１８】
本発明の情報記録装置によれば、録画動作中に記録媒体への書き込みエラーレートを取得し、その書き込みエラーレートから録画終了時の録画終了処理時間を求めることで、その記録媒体に適した録画終了処理時間を設定することができ、１つ目の録画終了から２つ目の録画開始までの時間を必要最小限に抑えることができる。つまり、連続した時間の２番組の予約録画を行うときには、どうしても１つ目の番組の最後の方の一部が録画されなくなってしまうが、本発明によれば、この録画されなくなってしまう時間を最小限に抑えることができる。また、余裕時間を装填されている記録媒体の製造メーカに応じて調整することで、記録媒体ごとに最適な録画終了処理時間を設定することができる。
【００１９】
また、本発明の情報記録装置によれば、書き込みエラーレートを複数に区分するとともに、レート区分ごとに録画終了処理時間を対応付けて格納した録画終了処理時間テーブルを備えていることで、複雑な演算処理をすることなく、簡単な処理にて最適な録画終了処理時間を求めることができる。
【００２０】
さらに、本発明の情報記録装置によれば、録画中の書き込み速度に対応した録画終了処理時の複数の情報書き込み速度と、その情報書き込み速度に対応した録画終了処理時間とを、レート区分ごとに対応させて格納した録画終了処理時間テーブルを用い、番組録画中に取得した書き込みエラーレートが含まれるレート区分の中から、録画中の書き込み速度に対応した複数の情報書き込み速度を取得し、その複数の情報書き込み速度の中から最適な情報書き込み速度を選択することで、録画終了処理時間をさらに短縮できるので、１つ目の録画動作を録画終了時刻のぎりぎりまで続行することができ、録画されない時間帯を大幅に短縮することが可能となる。さらに、前記録画終了処理時間テーブルに、情報書き込み速度に応じた余裕時間をさらに対応付けておけば、余裕時間も最適な時間にその都度変更できるため、１つ目の番組の録画されなくなってしまう時間をさらに最小限に抑えつつ、１つ目の録画終了から２つ目の録画開始までの時間を必要最小限に抑えることができる。
【発明を実施するための最良の形態】
【００２１】
以下、本発明の実施の形態について、図面を参照して説明する。
【００２２】
図１は、本発明の情報記録装置であるＤＶＤレコーダのシステム構成を示している。
【００２３】
装填されたディスク１にデータを書き込むとともにディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３をディスク１の半径方向に移動させるためのフィードモータ４とディスク１を回転駆動するスピンドルモータ２とに接続されており、これらデジタル信号処理回路７及びサーボ処理回路９は、装置全体の動作制御を行うシステムコントローラ１０と双方向に接続されている。
【００２４】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、テレビジョン放送信号を受信するチューナ回路１６が接続されている。
【００２５】
システムコントローラ１０には、ディスク１のパラメータやレーザパワーのパラメータ等の固有情報を格納しておくためのＥＥＰＲＯＭ１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されている。
【００２６】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、ディスク１に書き込むためのデータ圧縮等の処理を行う。さらに、デジタル信号処理回路７は、チューナ回路１６によって受信されたテレビジョン放送信号（番組情報）をディスク１に書き込む録画動作中に、ディスク１への書き込みエラーレートを測定する機能を備えており、その測定結果をシステムコントローラ１０に送出する。
【００２７】
システムコントローラ１０は、図示は省略しているがＣＰＵ、ＲＯＭ、ＲＡＭ等から構成されており、連続した時間の番組の録画予約が設定されている場合には、予約録画動作を制御する。すなわち、システムコントローラ１０は、ディスクの特性を考慮に入れた録画終了処理時間を算出する算出機能を有しており、連続した時間の番組の録画予約が設定されている場合には、前記算出機能により、装填されているディスクの録画動作中に録画終了処理時間を算出し、後の番組の録画開始時刻より前記算出した録画終了処理時間だけ前に、先の番組の録画動作を停止して、録画終了処理を実行するようになっている。
【００２８】
以下、システムコントローラ１０で実施さる予約録画動作の実施例について説明する。
【実施例１】
【００２９】
本実施例１では、前記算出機能は、装填されているディスク１の録画中に当該ディスク１への書き込みエラーレートを取得し、その書き込みエラーレートに基づいて録画終了処理時間テーブルを参照することにより、録画終了処理時間を求めるようになっている。
【００３０】
図２は、本実施例１の録画終了処理時間テーブルの構成例を示している。
【００３１】
この録画終了処理時間テーブルは、書き込みエラーレートを複数に区分するとともに、各レート区分ごとに録画終了処理時間を対応させたテーブルとなっている。録画終了処理時間は、本実施例１では、録画終了時の書き込み予想時間＋余裕時間となっている。ここで余裕時間としては、５〜１０秒程度設定すればよい。具体的には、０〜２％、２〜４％、４〜６％、６〜８％、８〜１０％の５つのレート区分となっており、０〜２％の区分には１５秒、２〜４％の区分には３０秒、４〜６％の区分には４０秒、６〜８％の区分には５０秒、８〜１０％の区分には６０秒の録画終了処理時間がそれぞれ対応付けられている。なお、このような各レート区分に対応した録画終了処理時間は、実験等によって予め最適な時間を求めておけばよい。このことは、後述する他の実施例２〜４についても同様である。
【００３２】
次に、図２に示す録画終了処理時間テーブルを用いた本実施例１の予約録画動作処理について、図３に示すフローチャートを参照して説明する。
【００３３】
ユーザがリモコン１８等を操作して録画予約を設定すると、システムコントローラ１０は、その設定された予約内容を確認する。本実施例１では、連続した時間の２番組の録画予約が設定されているか否かを確認する（ステップＳ１）。
【００３４】
その結果、連続した時間の２番組の録画予約が設定されている場合（ステップＳ１でＹｅｓと判断された場合）には、次に、１つ目の番組の録画開始時刻になったか否かを、図示しない内部の時計部によって確認する（ステップＳ２）。
【００３５】
そして、録画開始時刻になると（ステップＳ２でＹｅｓと判断されると）、システムコントローラ１０は、デジタル信号処理回路７を制御して、チューナ回路１６によって受信されている１つ目の番組のテレビジョン放送信号をディスク１に書き込む録画動作を開始させる（ステップＳ３）。
【００３６】
デジタル信号処理回路７は、録画動作中にディスク１への書き込みエラーレートを測定し、その測定結果をシステムコントローラ１０に送出する。システムコントローラ１０は、デジタル信号処理回路７から録画動作中の書き込みエラーレートを取得すると（ステップＳ４）、この取得した書き込みエラーレートに基づいて録画終了処理時間テーブルを参照し、該当する録画終了処理時間を取得して、図示しない内部メモリ（ＲＡＭ等）に保存する（ステップＳ５）。例えば、取得した書き込みエラーレートが３％であった場合には、録画終了処理時間テーブルから録画終了処理時間として３０秒を取得する。
【００３７】
この後、システムコントローラ１０は、１つ目の番組の録画終了時刻から、内部メモリに保存した録画終了処理時間だけ前の時刻になったか否かを監視する（ステップＳ６）。そして、１つ目の番組の録画終了時刻から、内部メモリに保存した録画終了処理時間だけ前の時刻になると（ステップＳ６でＹｅｓと判断されると）、システムコントローラ１０は、１つ目の番組の録画を停止して（ステップＳ７）、録画終了処理を開始する（ステップＳ８）。すなわち、制御情報の書き込みを開始する。そして、制御情報の書き込みを終了すると（ステップＳ９でＹｅｓと判断されると）、次に、２つ目の番組の録画開始時刻になったか否かを監視し（ステップＳ１０）、録画開始時刻になると（ステップＳ１０でＹｅｓと判断されると）、続けて２つ目の番組の録画を開始する（ステップＳ１１）。
【００３８】
本実施例１によれば、書き込みエラーレートを複数に区分するとともに、各レート区分ごとに録画終了処理時間を対応させた録画終了処理時間テーブルを備えていることで、ディスクごとに最適な録画終了処理時間を設定することが可能となる。
【実施例２】
【００３９】
上記実施例１では、余裕時間を固定として説明しているが、本実施例２では、この余裕時間を製造メーカに応じて変更するようにした実施例である。
【００４０】
すなわち、ディスクの特性及び品質は、製造メーカによって異なる。そのため、録画終了処理時間も製造メーカごとに特性があり異なっている。本実施例２では、この点を考慮し、製造メーカごとにディスクの特性を考慮した余裕時間を設定している。
【００４１】
図４は、各製造メーカごとに対応した余裕時間テーブルの構成例である。この例では、製造メーカＡの余裕時間は３秒、製造メーカＢの余裕時間は５秒、製造メーカＣの余裕時間は８秒、製造メーカＤの余裕時間は１０秒、・・・等となっている。
【００４２】
なお、本実施例２においても図２に示した録画終了処理時間テーブルを使用するものとする。ただし、本実施例２では、録画終了処理時間は録画処理時の書き込み予想時間のみであり、実施例１の場合のように余裕時間は含まれていないものとする。
【００４３】
次に、図２に示す録画終了処理時間テーブル及び図４に示す余裕時間テーブルを用いた本実施例２の予約録画動作処理について、図５に示すフローチャートを参照して説明する。
【００４４】
ユーザがリモコン１８等を操作して録画予約を設定すると、システムコントローラ１０は、その設定された予約内容を確認する。本実施例１では、連続した時間の２番組の録画予約が設定されているか否かを確認する（ステップＳ２１）。
【００４５】
その結果、連続した時間の２番組の録画予約が設定されている場合（ステップＳ２１でＹｅｓと判断された場合）には、次に、１つ目の番組の録画開始時刻になったか否かを、図示しない内部の時計部によって確認する（ステップＳ２２）。
【００４６】
そして、録画開始時刻になると（ステップＳ２２でＹｅｓと判断されると）、システムコントローラ１０は、デジタル信号処理回路７を制御して、チューナ回路１６によって受信されている１つ目の番組のテレビジョン放送信号をディスク１に書き込む録画動作を開始させる。またこのとき、システムコントローラ１０は、ディスク１から固有情報である製造メーカＩＤを取得し、この製造メーカＩＤを図示しない内部メモリに保存する（ステップＳ２３）。
【００４７】
デジタル信号処理回路７は、録画動作中にディスク１への書き込みエラーレートを測定し、その測定結果をシステムコントローラ１０に送出する。システムコントローラ１０は、デジタル信号処理回路７から録画動作中の書き込みエラーレートを取得すると（ステップＳ２４）、この取得した書き込みエラーレートに基づいて録画終了処理時間テーブルを参照し、該当する録画終了処理時間（この場合は書き込み予想時間のみ）を取得する。例えば、取得した書き込みエラーレートが３％であった場合には、録画終了処理時間テーブルから録画終了処理時間（書き込み予想時間）として３０秒を取得する。また、システムコントローラ１０は、先に取得した製造メーカＩＤに基づき、余裕時間テーブルから該当する製造メーカの余裕時間を取得する。例えば、製造メーカがＢである場合には、余裕時間として５秒を取得する。そして、書き込み予想時間３０秒と余裕時間５秒とを加算した３５秒を録画終了処理時間として、図示しない内部メモリ（ＲＡＭ等）に保存する（ステップＳ２５）。
【００４８】
この後、システムコントローラ１０は、１つ目の番組の録画終了時刻から、内部メモリに保存した録画終了処理時間だけ前の時刻になったか否かを監視する（ステップＳ２６）。そして、１つ目の番組の録画終了時刻から、内部メモリに保存した録画終了処理時間だけ前の時刻になると（ステップＳ２６でＹｅｓと判断されると）、システムコントローラ１０は、１つ目の番組の録画を停止して（ステップＳ２７）、録画終了処理を開始する（ステップＳ２８）。すなわち、制御情報の書き込みを開始する。そして、制御情報の書き込みを終了すると（ステップＳ２９でＹｅｓと判断されると）、次に、２つ目の番組の録画開始時刻になったか否かを監視し（ステップＳ３０）、録画開始時刻になると（ステップＳ３０でＹｅｓと判断されると）、続けて２つ目の番組の録画を開始する（ステップＳ３１）。
【００４９】
本実施例２によれば、書き込みエラーレートを複数に区分するとともに、各レート区分ごとに書き込み予想時間を対応させた録画終了処理時間テーブルと、ディスクの製造メーカごとに対応させた余裕時間テーブルとを備えていることで、ディスクごとに最適な録画終了処理時間を設定することが可能となる。
【実施例３】
【００５０】
本実施例３は、レート区分に対して録画終了処理時間を複数用意することにより、ディスクごとに対応したより詳細な録画終了処理時間の設定を可能とした実施例である。
【００５１】
すなわち、番組情報の書き込み速度と、録画終了時の制御情報の書き込み速度とは必ずしも１対１対応である必要はなく、制御情報の書き込み速度は、番組情報の書き込み速度より速くても十分に書き込み可能である。従って、本実施例３では、録画終了処理時の情報書き込み速度を複数用意し、その中から最適な情報書き込み速度を選択する構成としている。
【００５２】
図６は、本実施例３の録画終了処理時間テーブルの構成例を示している。
【００５３】
この録画終了処理時間テーブルは、書き込みエラーレートを複数に区分するとともに、各レート区分ごとに、録画終了処理時の複数の情報書き込み速度と、その情報書き込み速度に対応した書き込み予想時間とを対応させたテーブルとなっている。録画終了処理時間は、本実施例３では、一定の余裕時間を加算した時間となっている。
【００５４】
具体的には、０〜２％、２〜４％、４〜６％、６〜８％、８〜１０％の５つのレート区分となっており、０〜２％の区分には情報書き込み速度として３２倍、４８倍、６４倍が対応付けられており、これに対する情報書き込み予想時間として、２秒、３秒、４秒がそれぞれ対応付けられている。以下同様にして、各レート区分に複数の情報書き込み速度と書き込み予想時間とが対応付けられている。  
【００５５】
次に、図６に示す録画終了処理時間テーブルを用いた本実施例３の予約録画動作処理について、図７に示すフローチャートを参照して説明する。
【００５６】
ユーザがリモコン１８等を操作して録画予約を設定すると、システムコントローラ１０は、その設定された予約内容を確認する。本実施例１では、連続した時間の２番組の録画予約が設定されているか否かを確認する（ステップＳ４１）。
【００５７】
その結果、連続した時間の２番組の録画予約が設定されている場合（ステップＳ４１でＹｅｓと判断された場合）には、次に、１つ目の番組の録画開始時刻になったか否かを、図示しない内部の時計部によって確認する（ステップＳ４２）。
【００５８】
そして、録画開始時刻になると（ステップＳ４２でＹｅｓと判断されると）、システムコントローラ１０は、デジタル信号処理回路７を制御して、チューナ回路１６によって受信されている１つ目の番組のテレビジョン放送信号をディスク１に書き込む録画動作を開始させる（ステップＳ４３）。
【００５９】
デジタル信号処理回路７は、録画動作中にディスク１への書き込みエラーレートを測定し、その測定結果をシステムコントローラ１０に送出する。システムコントローラ１０は、デジタル信号処理回路７から録画動作中の書き込みエラーレートを取得すると（ステップＳ４４）、この取得した書き込みエラーレートに基づいて録画終了処理時間テーブルを参照し、該当するレート区分の中から最適な情報書き込み速度を選択する。このときの選択は、通常はそのレート区分の中で最も速い情報書き込み速度を選択して、録画終了時の制御情報の書き込み速度に決定する。例えば、取得した書き込みエラーレートの区分が０〜２％の区分であったとすると、システムコントローラ１０は、その区分の中で最も速い情報書き込み速度である６４倍速を選択し、この６４倍速に対応する書き込み予想時間である２秒を録画終了処理時間として取得し、図示しない内部メモリ（ＲＡＭ等）に保存する（ステップＳ４５）。
【００６０】
この後、システムコントローラ１０は、１つ目の番組の録画終了時刻から、内部メモリに保存した録画終了処理時間だけ前の時刻になったか否かを監視する（ステップＳ４６）。そして、１つ目の番組の録画終了時刻から、内部メモリに保存した録画終了処理時間だけ前の時刻になると（ステップＳ４６でＹｅｓと判断されると）、システムコントローラ１０は、１つ目の番組の録画を停止して（ステップＳ４７）、録画終了処理を開始する（ステップＳ４８）。すなわち、制御情報の書き込みを開始する。そして、制御情報の書き込みを終了すると（ステップＳ４９でＹｅｓと判断されると）、次に、２つ目の番組の録画開始時刻になったか否かを監視し（ステップＳ５０）、録画開始時刻になると（ステップＳ５０でＹｅｓと判断されると）、続けて２つ目の番組の録画を開始する（ステップＳ５１）。
【００６１】
なお、ステップＳ４５において選択したレート区分の中の最速の情報書き込み速度で制御情報の書き込みを行った結果、その書き込みに失敗した場合には、システムコントローラ１０は、録画終了処理時間テーブルの同じレート区分の中で次に速い情報書き込み速度（上記の例では４８倍速）を選択して、制御情報の書き込みを行う。この場合、情報書き込み速度として最終的に４８倍速で書き込みを行ったことを履歴として内部メモリ等に記憶する。そして、次に同じディスクで他の連続する２番組の録画予約を行ったとき、取得した書き込みエラーレートが同じレート区分であった場合には、内部メモリ等に記憶した履歴情報から、最適な情報書き込み速度として４８倍速を最初から選択するようにすればよい。
【００６２】
本実施例３によれば、各レート区分ごとに、録画終了処理時の複数の情報書き込み速度と、その情報書き込み速度に対応した録画終了処理時間とを対応させた録画終了処理時間テーブルを備えていることで、ディスクごとにさらに詳細な録画終了処理時間を設定することが可能となる。
【実施例４】
【００６３】
本実施例４は、レート区分に対して録画終了処理時間を複数用意することにより、ディスクごとに対応したより詳細な録画終了処理時間の設定を可能とした実施例であり、本実施例は上記実施例３よりさらに詳細な実施例である。
【００６４】
すなわち、本実施例４では、番組情報の書き込み速度をさらに考慮し、録画中の番組の書き込み速度に対応して、各レート区分ごとに録画終了処理時の情報書き込み速度を複数用意し、その中から最適な情報書き込み速度を選択する構成としている。
【００６５】
図８は、本実施例４の録画終了処理時間テーブルの一構成例を示している。
【００６６】
この録画終了処理時間テーブルは、書き込みエラーレートを複数に区分するとともに、各レート区分ごとに、録画中の書き込み速度と、この書き込み速度に対応した録画終了処理時の複数の情報書き込み速度と、その情報書き込み速度に対応した録画終了処理時間とを対応させたテーブルとなっており、本実施例４では、このような録画終了処理時間テーブルが、録画中の書き込み速度ごとに用意されている。図８は、録画中の書き込み速度が例えば２倍速の場合の録画終了処理時間テーブルを示している。すなわち、このような録画終了処理時間テーブルが、録画中の書き込み速度として４倍速、８倍速、１６倍速、・・・、６４倍速等の種類がある場合、これらの速度ごとに図８に示す録画終了処理時間テーブルが用意されている。なお、録画終了処理時間は、本実施例４では、一定の余裕時間を加算した時間となっている。
【００６７】
本実施例４では、０〜２％、２〜４％、４〜６％、６〜８％、８〜１０％の５つのレート区分となっており、０〜２％の区分には情報書き込み速度として３２倍、４８倍、６４倍が対応付けられており、これに対する情報書き込み予想時間として、２秒、３秒、４秒がそれぞれ対応付けられている。以下同様にして、各レート区分に複数の情報書き込み速度と録画終了処理時間とが対応付けられている。  
【００６８】
次に、図８に示す録画終了処理時間テーブルを用いた本実施例４の予約録画動作処理について、図９に示すフローチャートを参照して説明する。
【００６９】
ユーザがリモコン１８等を操作して録画予約を設定すると、システムコントローラ１０は、その設定された予約内容を確認する。本実施例１では、連続した時間の２番組の録画予約が設定されているか否かを確認する（ステップＳ６１）。
【００７０】
その結果、連続した時間の２番組の録画予約が設定されている場合（ステップＳ６１でＹｅｓと判断された場合）には、次に、１つ目の番組の録画開始時刻になったか否かを、図示しない内部の時計部によって確認する（ステップＳ６２）。
【００７１】
そして、録画開始時刻になると（ステップＳ６２でＹｅｓと判断されると）、システムコントローラ１０は、デジタル信号処理回路７を制御して、チューナ回路１６によって受信されている１つ目の番組のテレビジョン放送信号をディスク１に書き込む録画動作を開始させる（ステップＳ６３）。
【００７２】
デジタル信号処理回路７は、録画動作中にディスク１への書き込みエラーレートを測定し、その測定結果をシステムコントローラ１０に送出する。システムコントローラ１０は、デジタル信号処理回路７から録画動作中の書き込みエラーレートを取得すると（ステップＳ４４）、まず、内部メモリから録画中の書き込み速度に対応した録画終了処理時間テーブルを取得する。ここでは、録画中の書き込み速度が２倍速であったとすると、システムコントローラ１０は、内部メモリから図８に示す録画終了処理時間テーブルを取得することになる。次に、システムコントローラ１０は、デジタル信号処理回路７から取得した書き込みエラーレートに基づいて当該録画終了処理時間テーブルを参照し、該当するレート区分の中から最適な情報書き込み速度を選択する。このときの選択は、通常はそのレート区分の中で最も速い情報書き込み速度を選択して、録画終了時の制御情報の書き込み速度に決定する。例えば、取得した書き込みエラーレートの区分が０〜２％の区分であったとすると、システムコントローラ１０は、その区分の中で最も速い情報書き込み速度である６４倍速を選択し、この６４倍速に対応する書き込み予想時間である２秒を録画終了処理時間として取得し、図示しない内部メモリ（ＲＡＭ等）に保存する（ステップＳ６５）。
【００７３】
この後、システムコントローラ１０は、１つ目の番組の録画終了時刻から、内部メモリに保存した録画終了処理時間だけ前の時刻になったか否かを監視する（ステップＳ６６）。そして、１つ目の番組の録画終了時刻から、内部メモリに保存した録画終了処理時間だけ前の時刻になると（ステップＳ６６でＹｅｓと判断されると）、システムコントローラ１０は、１つ目の番組の録画を停止して（ステップＳ６７）、録画終了処理を開始する（ステップＳ６８）。すなわち、制御情報の書き込みを開始する。そして、制御情報の書き込みを終了すると（ステップＳ６９でＹｅｓと判断されると）、次に、２つ目の番組の録画開始時刻になったか否かを監視し（ステップＳ７０）、録画開始時刻になると（ステップＳ７０でＹｅｓと判断されると）、続けて２つ目の番組の録画を開始する（ステップＳ７１）。
【００７４】
なお、ステップＳ６５において選択したレート区分の中の最速の情報書き込み速度で制御情報の書き込みを行った結果、その書き込みに失敗した場合には、システムコントローラ１０は、録画終了処理時間テーブルの同じレート区分の中で次に速い情報書き込み速度（上記の例では４８倍速）を選択して、制御情報の書き込みを行う。この場合、情報書き込み速度として最終的に４８倍速で書き込みを行ったことを履歴として内部メモリ等に記憶する。そして、次に同じディスクで他の連続する２番組の録画予約を行ったとき、取得した書き込みエラーレートが同じレート区分であった場合には、内部メモリ等に記憶した履歴情報から、最適な情報書き込み速度として４８倍速を最初から選択するようにすればよい。
【００７５】
本実施例４によれば、各レート区分ごとに、録画終了処理時の複数の情報書き込み速度と、その情報書き込み速度に対応した録画終了処理時間とを対応させた録画終了処理時間テーブルを、録画中の書き込み速度に対応させて複数種類用意しておくことで、ディスクごとにさらに詳細な録画終了処理時間を設定することが可能となる。
【００７６】
なお、上記実施例３及び実施例４のように、各レート区分ごとに複数の情報書き込み速度と、録画終了処理時間とを対応させると、情報書き込み速度の速いもの（例えば、６４倍速の場合）と遅いもの（例えば２倍速）とでは、録画終了処理時間も２秒と６４秒と大きな差があるため、余裕時間を一定時間（例えば、５秒等）にしておくと、６４倍速ではテーブルの録画終了処理時間（２秒）に対し余裕時間の方が５秒と大きくなってしまい、録画終了処理時間を求める意味がなくなってしまう可能性がある。そのため、実施例３及び実施例４のような場合には、録画終了処理時間に合わせて（例えば、ほぼ比例させて）、余裕時間を短く設定するようにしてもよい。すなわち、余裕時間を録画終了処理時間の１０％前後となるように自動的に演算によって設定するようにしてもよい。この設定方法によれば、例えば６４倍速の場合には、余裕時間は０．２秒となり、２倍速の場合には、余裕時間は６．４秒となる。
【００７７】
なお、上記各実施例１〜４では、レート区分として、０〜２％、２〜４％、４〜６％、６〜８％、８〜１０％の５つの区分としているが、例えば１％区切りの１０区分としてもよく、また逆に、０〜３％、３〜６％、６〜１０％の３区分等としてもよい。また、各レート区分に対応させる情報書き込み速度の数も、上記実施例３及び実施例４では、３種類または２種類としているが、この数についてもこれら実施例に限定されるものではなく、任意に設定すればよい。
【図面の簡単な説明】
【００７８】
【図１】本発明の情報記録装置をＤＶＤレコーダに適用した場合のシステム構成図である。
【図２】実施例１の録画終了処理時間テーブルの構成例を示す説明図である。
【図３】システムコントローラによる実施例１の予約録画処理動作を示すフローチャートである。
【図４】実施例２の録画終了処理時間テーブルの構成例を示す説明図である。
【図５】システムコントローラによる実施例２の予約録画処理動作を示すフローチャートである。
【図６】実施例３の録画終了処理時間テーブルの構成例を示す説明図である。
【図７】システムコントローラによる実施例３の予約録画処理動作を示すフローチャートである。
【図８】実施例４の録画終了処理時間テーブルの構成例を示す説明図である。
【図９】システムコントローラによる実施例４の予約録画処理動作を示すフローチャートである。
【符号の説明】
【００７９】
１  ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  キー入力部
１６  チューナ回路
１８  リモコン送信機
２１  表示装置
【図１】
2007213746.tif 000003
【図２】
2007213746.tif 000004
【図３】
2007213746.tif 000005
【図４】
2007213746.tif 000006
【図５】
2007213746.tif 000007
【図６】
2007213746.tif 000008
【図７】
2007213746.tif 000009
【図８】
2007213746.tif 000010
【図９】
2007213746.tif 000011